(57)【特許請求の範囲】
【請求項１】
装置であって、
第１の信号を受取るように構成された第１の入力と、第２の信号を受取るように構成された第２の入力と、制御信号を受取るように、および前記制御信号に応答して、前記第１の信号または前記第２の信号の一方を出力に結合してスイッチの状態を制御するように構成された制御入力と、前記第１の信号、前記第２の信号および前記制御信号を用いて、出力信号を供給するように構成されている出力とを含むスイッチと、
前記第１の信号、前記第２の信号、および要求されたスイッチ状態の指示を受取るように構成され、前記制御信号を前記スイッチに供給するように構成され、前記要求されたスイッチ状態の指示が、現在のスイッチ状態と異なり、かつ前記第１の信号を示す情報と、前記第２の信号を示す情報との比較がしきい値を満たすまで、スイッチ状態変化を遅らせるように構成された制御回路と、を具備し、
前記制御回路は、前記要求されたスイッチ状態が前記現在のスイッチ状態と異なる場合に、指定された基準電圧より高い指定された電圧範囲内で前記第１の信号のオフセットバージョンを供給するように構成された第１のシフト回路を含み、前記第１の信号を示す情報は、前記第１の信号の前記オフセットバージョンを含み、
前記制御回路は、前記要求されたスイッチ状態が前記現在のスイッチ状態と異なる場合に、指定された基準電圧より高い指定された電圧範囲内で前記第２の信号のオフセットバージョンを供給するように構成された第２のシフト回路を含み、前記第２の信号を示す情報は、前記第２の信号の前記オフセットバージョンを含み、
前記第１および第２のシフト回路は、前記要求されたスイッチ状態の指示が、前記現在のスイッチ状態と異なる場合に作動可能にされるように構成され、前記要求されたスイッチ状態の指示が、前記現在のスイッチ状態と同じである場合には、電力消費を節約するために作動不能にされるように構成されている装置。
【請求項２】
前記第１または第２のシフト回路の少なくとも一方は、
電流源と、
前記電流源に結合された抵抗網と、
前記電流源と直列に、前記抵抗網に結合されたソース端子、アースに結合されたドレイン端子、及び信号を受取るように構成されたゲート端子を含むトランジスタと、
を含み、前記信号のオフセットバージョンが、前記抵抗網と前記電流源との接合部で供給される、請求項１に記載の装置。
【請求項３】
前記制御回路は、前記第１の信号の前記オフセットバージョンと、前記第２の信号の前記オフセットバージョンとを比較し、前記第１の信号の前記オフセットバージョンと、前記第２の信号の前記オフセットバージョンとの差を示す比較器出力を供給するように構成された比較器を含む、請求項１に記載の装置。
【請求項４】
前記制御回路は、
前記第１の信号の大きさを減衰させ、減衰された第１の信号を前記第１のシフト回路に供給するように構成された第１の減衰器と、
前記第２の信号の大きさを減衰させ、減衰された第１の信号を前記第１のシフト回路に供給するための第２の減衰器と
を含む、請求項１に記載の装置。
【請求項５】
前記第１の減衰器および前記第２の減衰器の各々は、前記第１の信号および前記第２の信号を減衰させるための分圧器を含む、請求項４に記載の装置。
【請求項６】
前記第１の減衰器および前記第２の減衰器は、イネーブル信号を受取り、前記イネーブル信号が第１の状態にある場合に、受取った信号の減衰されたバージョンを供給し、前記イネーブル信号が第２の状態にある場合に、前記減衰器の電力消費を低減するように構成されたイネーブル回路を含む、請求項５に記載の装置。
【請求項７】
前記第１の減衰器および前記第２の減衰器の各々は、前記分圧器に結合された各絶縁トランジスタを含み、前記絶縁トランジスタは、前記イネーブル信号が前記第１の状態にある場合に、単一の電圧源を用いて、前記減衰された信号をアースに関して振動させることができるように構成されており、前記絶縁トランジスタの基準電圧は、受取った前記信号の負の振幅に対応する、請求項６に記載の装置。
【請求項８】
前記イネーブル回路は、前記イネーブル信号が前記第２の状態にある場合に、絶縁ＮＭＯＳトランジスタを作動不能にするように構成されている、請求項７に記載の装置。
【請求項９】
前記スイッチはオーディオスイッチを含み、前記第１の信号は、第１のオーディオ信号を含み、前記第２の信号は、第２のオーディオ信号を含み、前記オーディオスイッチの前記出力は、スピーカに結合されるように構成される、請求項１に記載の装置。
【請求項１０】
前記スイッチはビデオスイッチを含み、前記第１の信号は、第１のビデオ信号を含み、前記第２の信号は、第２のビデオ信号を含み、前記ビデオスイッチの前記出力は、ディスプレイに結合されるように構成される、請求項１に記載の装置。
【請求項１１】
方法であって、
スイッチの第１の入力において第１の信号を受取ること、
前記スイッチの第２の入力において第２の信号を受取ること、
前記スイッチの制御入力において制御信号を受取ること、
前記制御信号が第１の状態を示す場合に、前記スイッチの出力において前記第１の信号を供給すること、
前記第１の信号のバージョンを、前記第２の信号のバージョンを比較してスイッチ遷移情報を生成すること、
前記制御信号が第２の状態を示す場合、および前記スイッチ遷移情報がしきい値を満たす場合に、前記スイッチの前記出力において、前記第２の信号を供給すること、を具備し、
前記スイッチ遷移情報を生成することは、
前記第１の信号をアースより上にシフトして、前記第１の信号のバージョンを供給すること、
前記第２の信号をアースより上にシフトして、前記第２の信号のバージョンを供給すること、を含み、
前記第１の信号をシフトすることは、前記第１の信号のバージョンの範囲を、アース中心から、単一の供給電圧の電圧値中心に制限するように、前記第１の信号を減衰させることを含み、
前記第２の信号をシフトすることは、前記第２の信号のバージョンの範囲を、アース中心から、単一の供給電圧の電圧値中心に制限するように、前記第２の信号を減衰させることを含み、
前記第２の状態を有する前記制御信号を受取ることは、第１および第２のシフト回路を作動可能にして、前記第１および第２の信号のシフトされたバージョンを供給することを含み、および
前記スイッチの前記出力において前記第２の信号を供給することは、前記スイッチの電力消費を節約するために、前記第１および第２のシフト回路を作動不能にすることを含む方法。
【請求項１２】
前記第１および第２のシフト回路を作動可能にすることは、前記第１および第２のシフト回路の電流源を作動可能にすることを含む、請求項１１に記載の方法。
【請求項１３】
前記第２の状態を有する前記制御信号を受取ることは、第１および第２の減衰器回路を作動可能にして、前記第１の信号のバージョンと、前記第２の信号のバージョンを供給することを含み、
前記スイッチの前記出力において前記第２の信号を供給することは、前記スイッチの電力消費を節約するために、前記第１および第２の減衰器回路を作動不能にすることを含む、請求項１１に記載の方法。
【請求項１４】
前記スイッチ遷移情報を生成することは、
前記第１の信号のバージョンと、前記第２の信号のバージョンとを比較することを利用して、前記第１の信号および前記第２の信号の相対振幅情報を供給することを含む、請求項１１に記載の方法。
【請求項１５】
前記スイッチ遷移情報を生成することは、
前記第１の信号のバージョンと、前記第２の信号のバージョンとを比較することを利用して、前記第１の信号および前記第２の信号の相対位相比較を供給することを含む、請求項１１に記載の方法。
【請求項１６】
システムであって、
単一の電源入力と、
スイッチであって、
大きさを有する第１の信号を受取るように構成された第１の入力と、
大きさを有する第２の信号を受取るように構成された第２の入力と、
制御信号を受取って、スイッチの状態を制御するように構成された制御入力と、
前記第１の信号、前記第２の信号および前記制御信号を用いて、出力信号を供給するように構成された出力と
を含む前記スイッチと、
前記第１の信号、前記第２の信号、および要求されたスイッチ状態の指示を受取るように構成され、前記制御信号を前記スイッチに供給するように構成され、および前記要求されたスイッチ状態の指示が、現在のスイッチ状態と異なり、かつ前記第１および前記第２の信号を用いた比較がしきい値を満たすまで、スイッチ状態変化を遅らせるように構成された制御回路と、を具備し、
前記制御回路は、
前記第１の信号を受取り、前記第１の信号の減衰されたバージョンを供給する第１の減衰器と、
前記第１の信号の減衰されたバージョンを受取り、前記第１の信号の、減衰され、かつシフトされたバージョンを供給する第１のシフト回路と、
前記第２の信号を受取り、前記第２の信号の減衰されたバージョンを供給する第２の減衰器と、
前記第２の信号の減衰されたバージョンを受取り、前記第２の信号の、減衰され、かつシフトされたバージョンを供給するための第２のシフト回路と、
前記第１の信号の、減衰され、かつシフトされたバージョンと、前記第２の信号の、減衰され、かつシフトされたバージョンとの比較を用いて、スイッチ遷移情報を供給し、前記スイッチ遷移情報を前記しきい値と比較するように構成された比較器と、を含み、
前記第１および第２のシフト回路は、前記要求されたスイッチ状態の指示が、前記現在のスイッチ状態と異なる場合に作動可能にされるように構成され、前記要求されたスイッチ状態の指示が、前記現在のスイッチ状態と同じである場合には、電力消費を節約するために作動不能にされるように構成されているシステム。
【発明の詳細な説明】
【技術分野】
【０００１】
本発明は、一般的にはスイッチに関し、より具体的には、２つ以上の入力の間でスイッチを切り換えるための方法および装置に関する。
【背景技術】
【０００２】
一般に、異なる電位での２つ以上の信号間の切り換えは、有害であるか、または好ましくない可能性のある急激な変化をもたらす可能性がある。例えば、異なる電位での異なるオーディオ信号またはビデオ信号間の切り換えは、ポップ音、映像歪み、または他の１つ以上の好ましくない効果をもたらす可能性がある。他の例では、異なる電位での２つの信号（例えば、異なる値を有する第１および第２の電圧信号）間での切り換えは、急激な電流スパイク、または、他の１つ以上の有害または好ましくない効果につながる可能性がある。
【先行技術文献】
【特許文献】
【０００３】
【特許文献１】米国特許出願公開第２００４−０１５１３２９（Ａ１）号明細書
【特許文献２】米国特許出願公開第２００６−０２３８２４７（Ａ１）号明細書
【特許文献３】米国特許第４６７５９０５号明細書
【特許文献４】米国特許第４７８８５０８号明細書
【特許文献５】米国特許第６１５７７２６号明細書
【特許文献６】米国特許第７４９８８８１号明細書
【発明の概要】
【課題を解決するための手段】
【０００４】
いくつかの実施例において、スイッチは、第１の入力において、第１の信号を受取り、および出力において、出力信号を生成するように構成することができ、その出力は、そのスイッチの状態に依存している。本発明は、同じ電位か、またはほぼ同じ電位の切り換え信号が、急激な出力変化を低減できることを認識している。一実施例において、ポップ音、電気ショック等の有害な、または、好ましくない効果を排除または低減するために、スイッチ状態変化は、現在のスイッチ状態とは異なる、要求されたスイッチ状態の指示が受取られ、第１の信号がしきい値に達するまで遅らせることができる。
【０００５】
この概要は、本特許出願の主題の概要を記載することを意図している。本発明の排他的または包括的な説明を記載することは意図されていない。詳細な説明は、本特許出願に関するさらなる情報を提供するために含まれている。
【図面の簡単な説明】
【０００６】
【図１】入力を受取り、および出力を発生させるように構成されたスイッチを含むことのできるシステムの一実施例を概略的に示す図である。
【図２】スイッチモジュールを含むことのできるシステムの一実施例を概略的に示す図である。
【図３】スイッチモジュールを含むことのできるシステムの一実施例を概略的に示す図である。
【図４】入力を受取り、および出力を発生させるように構成されたスイッチを含むことのできるシステムの一実施例を概略的に示す図である。
【図５】スイッチモジュールを含むことのできるシステムの一実施例を概略的に示す図である。
【図６】スイッチモジュールを含むことのできるシステムの一実施例を概略的に示す図である。
【図７】第１および第２のオーディオ信号を受取り、およびポップ音を含む出力を発生させるように構成されたオーディオスイッチを含む切り換えシステムの一実施例を概略的に示す図である。
【図８】第１および第２のオーディオ信号を受取り、およびポップ音のない出力信号を発生させるように構成されたオーディオスイッチを含むことのできるシステムの一実施例を概略的に示す図である。
【図９】例えば、図５に図示されているようなシステムの一部として含まれているマルチ入力スイッチ回路の一実施例を概略的に示す図である。
【図１０】オフセット回路の一実施例を概略的に示す図である。
【図１１】減衰器回路の一実施例を概略的に示す図である。
【図１２Ａ】リファレンス変換装置の一実施例を概略的に示す図である。
【図１２Ｂ】ダウン変換装置の一実施例を概略的に示す図である。
【発明を実施するための形態】
【０００７】
必ずしも縮尺通りに描かれる必要のない図面において、同様の数字は、異なる図において、同様の構成要素を指している可能性がある。異なる文字の添え字を有する同様の数字は、同様の構成要素の異なる実施例を表す可能性がある。図面は、一般に、限定するものとしてではなく、実施例として、本願明細書で議論されている様々な実施形態を図示している。
【０００８】
本発明者は、とりわけ、１つ以上の入力の切り換えを、ポップ音、電気ショック等の有害または好ましくない効果を排除または低減するように制御できることを認識している。
一実施例において、スイッチ（例えば、アナログスイッチ）は、オーディオ入力（例えば、ターンオン、ターンオフ、ミュート等）を切り換えるために、あるいは、多数のオーディオ入力間で切り換えるために用いることができる。いくつかの実施例において、オーディオ出力における高速の遷移は、ポップ音、または、（例えば、スピーカを流れる電流の急激な増加によって引き起こされる、等の原因により）他の１つ以上のオーディオ歪みをもたらす可能性がある。本発明者は、とりわけ、第１のオーディオ信号と第２のオーディオ信号が同様である場合（例えば、振幅が同様である、位相が同様である等）、ポップ音または他のオーディオ歪みを排除または低減するために、オーディオスイッチを、第１および第２のオーディオ信号間で変化させるように構成できることを認識している。他の実施例においては、本発明者は、オーディオ入力をオンまたはオフに切り換える際、第１のオーディオ入力がしきい値に達した場合、または、（例えば、そのスイッチを閉じる前に、そのスイッチを開いた後に、等）第１のオーディオ入力が、そのスイッチの出力と同様である場合、ポップ音または他のオーディオ歪みを排除または低減するために、そのオーディオスイッチは、（例えば、開閉間で）状態を変化させるように構成できることを認識している。
【０００９】
一実施例において、そのスイッチは、そのスイッチのタイミングを調節または制御して（例えば、遅延の導入）、そのスイッチの入出力間、例えば、第１のオーディオ信号と第２のオーディオ信号との間等の差を最小限にするように制御することができる。
【００１０】
図１は、第１の信号を受取るように構成された第１の入力１１０を有するスイッチ１０５と、制御信号を受取って、そのスイッチの状態を制御するように構成された制御入力１１５と、第１の信号およびその制御信号を用いて出力信号を供給するように構成された出力１２０とを含むシステム１００の一実施例を概略的に示す。
【００１１】
一実施例において、第１の入力１１０は、オーディオ信号、ビデオ信号または１つ以上の他の信号等の第１の信号を受取るように構成することができる。出力１２０は、スピーカ、ビデオディスプレイまたは１つ以上の他の出力デバイスに結合することができ、また、スイッチ１０５は、第１の入力１１０および出力１２０をターンオン、ターンオフ、ミュート、またはそうでなければ有効または無効に、あるいは遮断するように構成することができる。
【００１２】
一実施例において、制御入力１１５は、スイッチ１０５を制御する制御信号を受取って、異なる電位を有する入力信号と出力信号との間の切り換えに付随するポップ音または他の１つ以上の歪みを排除または低減するように構成することができる。いくつかの実施例において、電位の差は、その影響を低減させるためにフィルタリングすることができる。しかし、そのようにすると、追加的なコンポーネントまたは回路が必要となり、その結果生じる出力信号は、元の入力から変わる可能性がある。本発明者らは、しきい値（例えば、アース、出力１２０に結合されたデバイスの入力の静止電位、または他の１つ以上の入力信号）に重なり、または、これに近づく時間的な振幅変動を含む場合、制御入力１１５は、スイッチ１０５を制御して、その切り換えの潜在的な悪影響（例えば、ポップ音、歪み等）を最小限にすることができることを認識している。
【００１３】
典型的な切り換え用途において、その制御信号は、スイッチ１０５の状態を変える要求（例えば、電源オンの要求、電源オフの要求、ミュートの要求、多数のオーディオ信号間で切り換える要求等）が受取られた場合に、スイッチ１０５の状態（例えば、開閉等）を制御する。これらの実施例においては、第１の入力１１０および出力１２０は、異なる電位であり、ポップ音または他の歪みが生じる可能性がある。
【００１４】
いくつかの実施例において、典型的な音声周波数は、約２０Ｈｚ〜２０，０００Ｈｚである。本発明者は、とりわけ、第１の入力１１０と出力１２０（いくつかの実施例においては、潜在的な将来の出力であり、スイッチ１０５の状態の変化が流れるようにすべきである）とがほぼ等しくなるまで、または、第１の入力１１０と出力１２０との差を最小限にすることができるまで、スイッチ１０５の状態の変化を遅らせるように、その制御信号を構成できることを認識している。オーディオ切り換え用途においては、低い音声周波数においても、第１の信号が、その出力信号または他の１つ以上のしきい値に重なると仮定すれば、スイッチ１０５の状態の変化に対する最大遅延は、０．０１２５秒にすぎず（典型的には、もっと少ない）、第１の入力１１０における低い音声周波数でのその第１の信号の１つの全期間を表している。他の実施例においては、その第１の信号が、その出力信号または他の１つ以上のしきい値に重ならない場合、その制御信号は、その制御信号と、その出力信号または第１の期間内の他の１つ以上のしきい値との間の最小差を見つけた後、第２の期間内に、その最小差に達するまで、スイッチ１０５の状態の変化を遅らせるように構成することができる。いくつかの実施例において、その制御信号は、第１の入力１１０と出力１２０との間の位相差の原因となる遅延を供給するように構成することができる。
【００１５】
他の実施例において、第１の入力１１０は、オーディオ信号またはビデオ信号以外の１つ以上の信号を受取るように構成することができ、また、出力１２０は、１つ以上の信号を受取るように構成されたデバイスに、その１つ以上の信号を供給するように構成することができる。これらの実施例においては、スイッチ１０５の状態は、第１の入力１１０が出力１２０と同様である（または、予想出力と同様である）場合に変えることができ、例えば、異なる電位での切り換え信号（例えば、電流の急増等）に付随する悪影響を最小限にすることができる。いくつかの実施例において、多数の入力間で切り換える場合、スイッチ１０５の状態は、第１の入力１１０が１つ以上の他の入力と同様である場合に変えることができる。
【００１６】
図２は、スイッチ１０５および制御部１２５を含むスイッチモジュール１３０を含むシステム２００の一実施例を概略的に示す。いくつかの実施例において、制御部１２５は、ディジタルコントローラ（例えば、プロセッサ等）、アナログまたはディジタル回路、あるいは、第１の信号を第１の入力１１０から受取り、および制御信号をスイッチ１０５の制御入力１１５に供給するように構成された他の１つ以上の制御部を含むことができる。一実施例において、制御部１２５は、要求された状態変化の指示が現在のスイッチ状態と異なるまで、および第１の信号がしきい値に達するかまたは近づくまで、スイッチ状態変化を遅らせるように構成することができる。
【００１７】
一実施例において、制御部１２５は、（例えば、ユーザ、プロセッサ等からの）要求されたスイッチ状態の指示を受取るように構成することができる。その要求されたスイッチ状態の指示が、現在のスイッチ状態とは異なり、および第１の信号がしきい値に達した場合には、制御部１２５は、その制御信号を制御入力１１５に供給して、スイッチ１０５の状態を変化させるように構成することができる。
【００１８】
いくつかの実施例において、第１の入力１１０における第１の信号は、要求されたスイッチ状態を示すことができる。例えば、ユーザは、出力１２０へ供給される信号（例えば、オーディオ信号、ビデオ信号等）を選択することができ、また、プロセッサは、その信号をスイッチ１０５に供給するように構成することができる。例えば、スイッチ１０５のない他の実施例においては、その第１の信号は、出力１２０に直接、供給されることになる。この実施例において、その第１の信号の存在は、その第１の信号に供給するためのユーザまたはプロセッサからの要求の指示を示すものである。他の実施例において、制御部１２５は、ユーザから別々の要求（例えば、ミュート要求等）を受取ることができる。一旦、その要求、またはその要求を示す信号が受取られると、制御部１２５は、第１の入力１１０において、その第１の信号をモニタして、指定された振幅、位相等で、そのスイッチを開閉するように制御することができる。
【００１９】
いくつかの実施例において、制御部１２５は、第１の入力１１０における第１の信号が、しきい値に近づくか、または達した場合に、その制御信号を供給して、スイッチ１０５の状態を変化させるように構成することができる。一実施例において、そのしきい値は、その用途により、アースまたは１つ以上の他のレベルを含むことができる。一実施例において、そのしきい値は、例えば、スピーカ、ディスプレイ、または、スイッチ１０５から出力信号を受取るように構成された他の１つ以上のデバイス等の、スイッチ１０５の出力１２０に結合されたデバイスの入力の値を含むことができる。いくつかの実施例において、制御部１２５は、第１の入力１１０における第１の信号の位相を考慮することができ、およびその位相情報を用いて、スイッチ１０５の状態を変えることができる。
【００２０】
図３は、スイッチ１０５および制御部１２５を含むスイッチモジュール１３０を含むシステム３００の一実施例を概略的に示す。この実施例において、制御部１２５は、第１の入力１１０からの第１の信号と、出力１２０からの出力信号とを受取るように構成することができる。一実施例において、制御部１２５は、要求されたスイッチ状態の指示（例えば、開閉等）が、現在のスイッチ状態と異なり、および第１の入力１１０からのその第１の信号が、出力１２０からの出力信号に達するかまたは近づくまで、スイッチ状態変化を遅らせるように構成することができる。
【００２１】
他の実施例においては、その第１の信号がその出力信号に達しない場合には、その第１の信号と、その出力信号との差が最小化されるまで、スイッチ状態変化を遅らせることができる。他の実施例においては、そのスイッチ状態変化は、（例えば、有害な、または好ましくない効果を排除または低減するために）その第１の信号と、他の１つ以上のしきい値、あるいは、他の信号との差を最小限にすることができるまで遅らせることができる。
【００２２】
図４は、第１の信号を受取るように構成された第１の入力１１０と、その第１の信号とは異なる第２の信号を受取るように構成された第２の入力１１１と、制御信号を受取って、そのスイッチの状態を制御するように構成された制御入力１１５と、その制御信号とその第１の信号または第２の信号の少なくとも一方を用いて出力信号を供給するように構成された出力１２０とを有するスイッチ１０５を含むシステム４００の実施例を概略的に示す。
【００２３】
一実施例において、制御入力１１５は、制御信号を受取ってスイッチ１０５を制御し、ポップ音、または、異なる電位を有する第１の信号と第２の信号との間での切り換え、あるいは、異なる電位を有するその第１または第２の信号とその出力信号との間での切り換えに付随する他の１つ以上の歪みを排除するかまたは低減するように構成することができる。
【００２４】
多数の入力信号間での典型的な切り換え用途において、その制御信号は、スイッチ１０５の状態を変更する要求（例えば、電源オンの要求、電源オフの要求、ミュートの要求、多数のオーディオ信号間で切り換える要求等）が受取られた場合に、スイッチ１０５の状態（例えば、開閉等）を制御する。これらの実施例においては、第１の入力１１０と第２の入力１１１とが異なる電位である場合、または、第１の入力１１０または第２の入力１１１が、出力１２０に対して異なる電位である場合、ポップ音または他の歪みが生じる可能性がある。
【００２５】
いくつかの実施例において、第１の入力信号と第２の入力信号との間での切り換えは、第１の信号と出力との間での切り換え、または、第１の信号としきい値との間での切り換えと同様にすることができる。この実施例において、そのスイッチ状態は、第１の入力１１０を出力１２０に結合するように構成された第１の位置と、第２の入力１１１を出力１２０に結合するように構成された第２の位置とを含む。他の実施例においては、１つ以上の他の入力または入力構成を有する１つ以上の他のスイッチ構成を用いることができる。例えば、スイッチ１０５は、第１の入力１１０および第２の入力１１１を含むことができ、これらの入力は、それぞれ、第１の入力１１０および第２の入力１１１の各々を出力１２０に結合または減結合するように構成された、開状態および閉状態を有する別々のスイッチを有する。
【００２６】
図４の実施例において、スイッチ１０５は、その第１の位置にあり、第１の入力１１０は、出力１２０に結合されている。一実施例において、要求されたスイッチ状態の指示が受取られる場合、その制御信号は、その要求されたスイッチ状態の指示が、現在のスイッチ状態と異なるまで（例えば、その要求されたスイッチ状態が、その第２の位置を含むまで）、および第２の入力１１１における第２の信号がしきい値に達するまで、スイッチ状態変化を遅らせるように構成することができる。一実施例において、そのしきい値は、そのスイッチの状態が変化した時に、その第１の信号と第２の信号との間の差が最小限になるように、その第１の信号の値（例えば、振幅）を含むことができる。他の実施例においては、そのしきい値は、その出力信号の値を含むことができる。
【００２７】
図５は、スイッチ１０５および制御部１２５を含むスイッチモジュール１３０を含むシステム５００の一実施例を概略的に示す。一実施例において、制御部１２５は、第１の入力１１０から第１の信号を、および第２の入力１１１から第２の信号を受取るように構成することができる。一実施例において、制御部１２５は、要求された状態変化の指示が、現在のスイッチ状態と異なるまで、およびその第１の信号または第２の信号が、しきい値に達するかまたは近づくまで、スイッチ状態変化を遅らせるように構成することができる。一実施例において、制御部１２５は、その第１の信号が、その第２の信号に達するかまたは近づくまで、スイッチ状態変化を遅らせるように構成することができる。他の実施例においては、１つ以上の他のしきい値を用いることができる。
【００２８】
一実施例において、スイッチ１０５が（第１の入力１１０を出力１２０に結合する）第１の位置にあり、および（第２の入力１１１を出力１２０に結合する）第２の位置への要求されたスイッチ状態の指示が受取られる場合、制御部１２５は、第２の入力１１１における第２の信号（例えば、その第２の信号の振幅）が、第１の入力１１０における第１の信号（例えば、その第１の信号の振幅）に達するかまたは近づくまで、その第１の位置から第２の位置へのスイッチ状態変化を遅らせるように構成することができる。
【００２９】
図６は、スイッチ１０５および制御部１２５を含むスイッチモジュール１３０を含むシステム６００の一実施例を概略的に示す。この実施例において、制御部１２５は、第１の入力１１０から第１の信号を、第２の入力１１１から第２の信号を、および出力１２０から出力信号を受取るように構成することができる。一実施例において、制御部１２５は、要求されたスイッチ状態の指示が、現在のスイッチ状態と異なるまで、および第１の入力１１０からの第１の信号または第２の入力１１１からの第２の信号が、出力１２０からの出力信号に達するかまたは近づくまで、スイッチ状態変化を遅らせるように構成することができる。
【００３０】
一実施例において、スイッチ１０５が（第１の入力１１０を出力１２０に結合する）第１の位置にあり、および（第２の入力１１１を出力１２０に結合する）第２の位置への要求されたスイッチ状態の指示が受取られる場合、制御部１２５は、第２の入力１１１における第２の信号（例えば、その第２の信号の振幅）が、出力１２０における出力信号（例えば、その出力信号の振幅）に達するかまたは近づくまで、その第１の位置から第２の位置へのスイッチ状態変化を遅らせるように構成することができる。
【００３１】
図７は、第１のオーディオ信号を受取るように構成された第１の入力１１０と、第２のオーディオ信号を受取るように構成された第２の入力１１１と、制御信号を受取るように構成された制御入力１１５と、ポップ音を含む出力信号をスピーカ１３５へ供給するように構成された出力１２０とを有するオーディオスイッチ１０５を含むオーディオ切り換えシステム７００の一実施例を概略的に示す。
【００３２】
この実施例においては、時刻１４０において、要求されたスイッチ状態の指示が受取られ、スイッチ１０５は、第２のオーディオ信号を出力信号として供給する状態から、第１のオーディオ信号を出力信号として供給する状態に変化する。時刻１４０において、その第１のオーディオ信号と第２のオーディオ信号との間には、電位の差があるため、その出力信号においては、ポップ音または他の歪みが生じる。
【００３３】
図８は、第１のオーディオ信号を受取るように構成された第１の入力１１０と、第２のオーディオ信号を受取るように構成された第２の入力１１１と、制御信号を受取るように構成された制御入力１１５と、ポップ音を含まない出力信号をスピーカ１３５へ供給するように構成された出力１２０とを有するオーディオスイッチ１０５を含むシステム８００の一実施例を概略的に示す。
【００３４】
この実施例においては、時刻１４０において、要求されたスイッチ状態の指示が受取られるが、スイッチ１０５は、時刻１４５まで、第２のオーディオ信号を出力信号として供給する状態から、第１のオーディオ信号を出力信号として供給する状態に変化しない。この実施例において、その制御信号は、その第１の信号が、その第２の信号に達するかまたは近づくまで、そのスイッチ状態変化を遅らせる。時刻１４５においては、その第１のオーディオ信号と、その第２のオーディオ信号との間には電位差がほとんどないか、または全くないため、その出力信号においては、ポップ音または他の歪みは生じない。
【００３５】
図９は、例えば、図５に示すシステムの一部として含まれているようなマルチ入力スイッチ回路の一実施例を概略的に示す。一実施例において、回路９００は、例えば、共通基準（例えば、ＧＮＤ）に対して正負両電圧を供給するバイポーラ電源を要するのと対照的に、単一の電源電圧（例えば、Ｖｃｃ）を用いて作動するシングルエンド電源を用いることができる。本発明者らは、とりわけ、バイポーラ電源を要する回路と比較して、回路９００の単一電源作動能力が、回路サイズ（例えば、設置面積または複雑さ）を低減でき、または、コストを節減できることを認識している。そのようなコストは、設計及び製造コスト、あるいは、回路９００を用いたシステムに付随するコストを含むことができる。回路９００は、例えば、第１の信号９２１を受取るように構成された第１の入力９０１と、例えば、第２の信号９２２を受取るように構成された第２の入力９０２とを含むことができる。回路９００は、例えば、第１の入力９０１または第２の入力９０２のいずれかを、回路９００の出力９０４へ切り換える要求を受取るように構成された制御入力９０３を含むことができる。回路９００は、例えば、第１の信号９２１および第２の信号９２２を受取るように構成され、および、例えば、制御入力９０３に応答して、要求された信号を、そのスイッチの出力９０４に結合するように構成されたスイッチ９０５を含むことができる。回路９００は、制御部９０６を含むことができる。制御部９０６は、１つ以上の受取った要求に応答し、およびそれに応じて、その出力信号の障害が実質的に回避されるか、または低減されるように、スイッチ９０５の切り換え動作を調節することができる。そのような障害は、これらに限定されるものではないが、クリック音、ポップ音および映像歪みを含むことができる。
【００３６】
一実施例において、制御部９０６は、その第１の信号および第２の信号をモニタすることができ、また、図４、図５、図６、図７、図８の実施例に関して議論したように、それらの信号がほぼ同じレベルである場合に、スイッチ９０５を切り換えることができる。いくつかの実施例において、制御部９０６は、その第１の信号と第２の信号とが、ほぼ同じレベルおよび位相である場合、または、同じ方向に増減している場合に、スイッチ９０５を切り換えることができる。一実施例において、例えば、図９に示すように、回路９００は、例えば、スイッチ遷移情報を制御部９０６へ供給するために、例えば、その第１の信号および第２の信号に関する情報を受取るように構成された比較器９０７を含むことができる。一実施例において、そのようなスイッチ遷移情報は、特に、その第１および第２の信号の振幅関係、その第１および第２の信号の位相関係に関する情報、またはその両方を含むことができる。例えば、そのスイッチ遷移情報が、障害のない（または、障害が低減された）切り換え機会を示す１つ以上の判断基準を満たす場合には、制御部９０６は、比較器９０７からの信号に応答して、その第１および第２の信号を、その回路の出力９０４に結合する状態を変化させるようにスイッチ９０５を作動させることができる。
【００３７】
単極性電圧源の使用は、回路９００に印加することのできる様々な入力信号の全振幅を追跡する制御部９０６の能力を制限する可能性がある。一実施例において、回路９００は、第１のシフト回路９３１または第２のシフト回路９３２等の１つ以上のレベルシフト回路と共に、単一の正電圧源Ｖｃｃ等の単極性電圧源を含むことができる。各シフト回路９３１、９３２は、それらの信号の変換された、または調節されたバージョンの最大振幅範囲が、回路９００の比較器９０７または他の回路のダイナミックレンジの範囲内にあるようにするため、第１の信号９２１および第２の信号９２２の信号を調節した表現を変換するかまたはそうでなければ供給するために用いることができる。例えば、このような変換または状態は、その電源のＧＮＤ電圧のすぐ上の、および正のレール電圧Ｖｃｃのすぐ下の範囲内の電圧振幅に制限されるその第１および第２の信号のバージョンを供給するために用いることができる。このような第１の信号９２１または第２の信号９２２の変換された、または調節されたバージョンは、上述したように、例えば、障害のない（または、障害が低減された）切り換え機会を示す１つ以上の判断基準を満たすスイッチ遷移情報を供給するために、比較器９０７によって用いることができる。
【００３８】
一実施例において、回路９００は、各第１または第２の信号９２１、９２２を減衰または制限する１つ以上の各減衰器またはリミッタを含むことができる。例えば、図９の回路９００は、第１の減衰器９３３または第２の減衰器９３４を含むことができる。各減衰器９３３、９３４のうちの１つ以上は、第１または第２の信号９２１、９２２の最大電圧振幅を、そのシングルエンド電源の電圧範囲（例えば、指定電圧）に対応する範囲に制限するために用いることができる。また、本発明者らは、このような減衰または制限は、そのようなフロントエンドの制限または減衰回路のない回路９００と比較して、より低い作動電圧を有するシングルエンド電源を使用することを可能にすることも認識している。図９の実施例において、各第１および第２の信号９２１、９２２の減衰された表現９４３、９４４は、各シフト回路９３１、９３２によって受取ることができ、第１および第２の信号９２１、９２２の、減衰され、シフトされたバージョン９４１、９４２に処理することができる。第１および第２の入力信号９２１、９２２の、減衰され、シフトされたバージョン９４１、９４２は、比較器９０７によって受取ることができ、この比較器もまた、例えば、出力９０４における相当の障害を回避するために、回路９００の出力９０４を切り換えるために用いられるスイッチ遷移情報を供給することができる。一実施例においては、マルチ入力スイッチ回路９００を、単一の集積回路素子として、または、集積回路素子の一部として実装することができる。
【００３９】
図１０は、オフセット回路の一実施例を概略的に示す。オフセット回路１０３０は、例えば、トランジスタ１０３４等の１つ以上のトランジスタに結合された抵抗１０３３等の１つ以上の抵抗を含むことができる。一実施例において、トランジスタ１０３４は、基準（例えば、ＧＮＤ）と、抵抗網の一方の側との間に結合することができる。回路１０３０は、例えば、その抵抗網と電流源１０３６との間に出力ノード１０３５を含む、直列の抵抗１０３３と供給電圧Ｖｃｃとの間に結合された電流源１０３６を含むことができる。トランジスタ１０３４の制御入力１０３７は、入ってくる信号を受取ることができる。受取った信号のオフセット（例えば、レベルが変換された）バージョンは、回路１０３０の出力１０３５において供給されることができる。様々な実施例において、オフセットの量は、１つ以上の抵抗値を指定することにより、その電流源の設定値を指定することにより、またはこれらの組合せによって制御することができる。一実施例において、電流源１０３６は、（例えば、ノイズを低減するために、または、電力消費を節減するために）必要な時にだけ、その電流源を「オン」に切り換えるイネーブル入力によって制御することができる。例えば、その電流源は、そのスイッチの状態を変える要求が受取られた場合に（例えば、図５の実施例で議論したように）「オン」にすることができ、また、その要求に一致して、そのスイッチの状態が変えられた後に、あるいは、そのスイッチ状態を変化させるための機会が識別された後に、「オフ」にすることができる。このような実施例において、そのオフセット回路は、例えば、電流源１０３６を有効および無効にするために、制御部を含むことができ、または、制御部に応答して作動することができる。一実施例において、オフセット回路１０３０は、図９の制御入力９０３からイネーブル信号を受取ることができる。
【００４０】
図１１は、減衰器回路の一実施例を概略的に示す。減衰器回路１１４０は、例えば、切り換えすべき入力信号を受取るように構成された入力１１４５と、例えば、その受取った入力信号の減衰されたバージョンを供給する出力１１４６とを含むことができる。減衰器回路１１４０は、単極性電圧源に結合されるように構成された電源端子Ｖｃｃと、接地ノードＧＮＤとを含むことができる。減衰器回路１１４０は、信号入力１１４５に結合された抵抗網１１４７ａ、抵抗網１１４７ｂ、抵抗網１１４７ｃ、抵抗網１１４７ｄと、減衰された信号を供給するための出力１１４６とを含むことができる。一実施例において、減衰器回路１１４０は、その信号の減衰されたバージョンが、減衰されていない最大電圧振幅の約２５％である最大電圧振幅を含むように、実質的に等しい抵抗からなる抵抗群１１４７ａ、抵抗網１１４７ｂ、抵抗網１１４７ｃ、１１４７ｄを含むことができる。一実施例においては、例えば、１つ以上の他の減衰係数を供給するために、１つ以上の他の抵抗値を用いることができる。
【００４１】
抵抗網１１４７ａ、抵抗網１１４７ｂ、抵抗網１１４７ｃ、１１４７ｄは、例えば、減衰器スイッチ１１６０を介して基準電圧に結合することができる。減衰器スイッチ１１６０は、例えば、スイッチ回路９００（図９）のスイッチの状態を変える要求を受取った時に、入ってくる信号の減衰が必要な場合に、減衰回路１１４０を有効にすることにより、および他の指定された時間の間に、回路９００を無効にすることにより、エネルギーを節約するのを支援することができる。減衰器スイッチ１１６０は、例えば、そのスイッチ回路の状態を変える要求に応答して、受取った信号の減衰を可能にすることができる。減衰スイッチ１１６０は、スイッチ回路９００の状態が、その要求に一致して変化した場合に、または、スイッチ９０５の状態を変えるための機会が識別された後に、減衰回路１１４０を無効にすることができる。このような実施例において、減衰器回路１１４０は、制御部を含むことができ、または、制御部に結合することができ、およびその制御部からの信号に応答して、その減衰器を有効または無効にすることができる。いくつかの実施例において、その減衰器回路は、イネーブル回路１１５０を含むことができ、および図９の制御入力９０３からのイネーブル信号を受取ることができる。
【００４２】
一実施例において、減衰器回路１１４０は、イネーブル入力１１４９が低論理レベルである場合に、無効にすることができる。イネーブル入力１１４９が高論理レベルである場合には、ＮＭＯＳトランジスタ１１６３がターン「オン」して、トランジスタ１１６５の制御ゲートを低に引っ張る。トランジスタ１１６５は、その制御ゲートにおける低論理レベルでターン「オン」することができ、および絶縁ＮＭＯＳトランジスタ１１６０の制御ゲートを高に引っ張ることができる。トランジスタ１１６０の制御ゲート上の高論理レベルは、トランジスタ１１６０を「オン」にすることができ、それに伴って、抵抗網１１４７ａ、抵抗網１１４７ｂ、抵抗網１１４７ｃ、１１４７ｄを基準に結合し、および減衰回路１１４０を用いて、信号減衰を可能にする。
【００４３】
図示されている実施例１１４０において、イネーブル回路１１５０は、受取った信号の減衰されたバージョンを、アースに対して電圧源Ｖｃｃの逆極性で振幅させることが可能なリファレンス変換器１１５１を含むことができる。例えば、スイッチ回路９００が、正極性の電圧源を用いる場合、リファレンス変換器１１５１は、減衰されていない信号と、電圧源基準ＧＮＤまたはアースとを受取ることができる。リファレンス変換器１１５１は、電圧源基準ＧＮＤまたは減衰されていない信号値のうちの実質的により負である方で維持される擬似接地レール１１５２を供給することができ、それに伴って、減衰器の出力１１４６を、絶縁ＮＭＯＳトランジスタ１１４８を用いて、電圧源基準ＧＮＤ以下に振幅させることを可能にする。
【００４４】
また、図１１の減衰器１１４０の図示されているイネーブル回路１１５０は、イネーブル入力１１４９が論理低値である場合に、第１の絶縁ＮＭＯＳトランジスタ１１６０を「オフ」に保持するために、ダウン変換器１１５３および第２の絶縁ＮＭＯＳトランジスタ１１６１を含むこともできる。ダウン変換器１１５３は、トランジスタ１１６３および１１６６を用いて、そのイネーブル信号の相補的なバージョンを受取ることができる。また、ダウン変換器１１５３は、電圧源基準ＧＮＤおよび擬似接地レール１１５２を受取ることもできる。そのイネーブル信号が低である場合、ダウン変換器１１５３は、対応する高論理レベル出力１１５４を第２の絶縁ＮＭＯＳトランジスタ１１６１に供給して、第１のＮＭＯＳトランジスタ１１６０のゲートを低に引っ張ることができるように、第２の絶縁ＮＭＯＳトランジスタ１１６１を作動させることができる。受取った信号に応答して、擬似レール１１５２が、リファレンス変換器１１５１によって低に引っ張られる際、第２の絶縁ＮＭＯＳトランジスタ１１６１は、第１の絶縁ＮＭＯＳトランジスタ１１６０のゲート上の低論理レベルを維持して、第１のＮＭＯＳトランジスタ１１６０が「オフ」のままであることを確実にすることができる。
【００４５】
図１２Ａは、電源基準入力１２８０と、第１の基準入力１２８１と、第２の基準入力１２８２と、擬似基準出力１２５２とを含むリファレンス変換器１２５１の一実施例を概略的に示す。リファレンス変換器１２５１は、第１の基準入力１２８１または第２の基準入力１２８２のいずれかのより低い電位に擬似基準出力１２５２を維持することができる。図示されている実施例において、より大きな正の基準入力は、対応するトランジスタ網１２８４、１２８５を「オン」にして、擬似出力１２５２を、第１の基準入力１２８１、第２の基準入力１２８２および電源基準入力１２８０のうちのより大きな負の基準入力に結合することができる。一実施例において、ダイオード１２８６は、擬似基準出力１２５２が、電源基準入力１２８０の上流の接合部電位よりも高くないことを保証することができる。図１１の回路と共に用いる場合に、本発明の範囲から逸脱することなく、他のリファレンス変換器も実施可能であることを理解されたい。図１１の実施例において、第１の基準入力１２８１は、減衰器入力１１４５に結合することができ、また、第２の基準入力１２８２および電源基準入力１２８０は、電圧源基準ＧＮＤに結合することができる。
【００４６】
図１２Ｂは、第１の入力１２７１および第２の入力１２７２と、出力１２７３と、第１の入力トランジスタ１２７４と、第２の入力トランジスタ１２７５と、第２の絶縁トランジスタ１２７７と交差結合された第１の絶縁トランジスタ１２７６と、第１の基準入力１２７０および第２の基準入力１２５２とを含むダウン変換器１２５３の一実施例を概略的に示す。ダウン変換器１２５３は、異なる基準を有するデバイス間に、適切な論理信号を与えることができる。一実施例において、適切な論理信号は、第１および第２の入力１２７１、１２７２で受取られた相補的な論理信号が、第１の基準１２７０に参照され、およびその論理信号を受取るデバイスが、受取られた第２の基準１２５２に参照された場合に、出力１２７３で供給することができる。一実施例において、第１の基準出力１２７０は、図１１の回路のための電源等の回路電源に結合することができる。第２の基準入力１２５２は、図１１の回路の擬似接地レール１１５２に結合することができる。第１および第２の入力１２７１、１２７２で受取られた相補的な信号が、その第１の入力を高に、かつ第２の入力を低に保持している場合、第２の入力トランジスタ１２７５がターン「オン」して、出力１２７３を高論理レベルに引っ張ることができる。第１および第２の入力１２７１、１２７２で受取られた相補的な信号が、その第１の入力を低に、かつ第２の入力を高に保持している場合、その第１の入力トランジスタがターン「オン」して、第２の絶縁トランジスタ１２７７の制御入力を「高」に引っ張ることができる。第２の絶縁トランジスタ１２７７は、第２の基準入力１２５２、例えば、擬似接地レール１１５２を参照して、出力１２７３を低に引張り、それによって、第２の基準入力１２７２におけるその擬似基準レールが、第１の基準入力１２７１における電源基準よりもより大きな負になる場合でも、出力１２７２上の低論理レベルを維持することができる。図１１の回路と共に用いる場合、本発明の範囲から逸脱することなく、他のダウン変換器も実施可能であることを理解されたい。
（他の実施例）
本発明者は、とりわけ、上述したシステムまたは方法を、入力信号および出力信号が、または多数の入力信号が異なる電位を有する可能性のある場合に、様々な切り換え用途に（例えば、オーディオまたはビデオ切り換えのほかにも）用いることができることを認識している。さらに、本願明細書に記載されているシステムまたは方法のうちの１つ以上は、ミキシング技術と呼ぶことができる。
【００４７】
一実施例において、ミキシング技術は、異なる電位間で切り換えて（例えば、第１の電位での入力と、第２の異なる電位での出力との間の切り換え）、短絡状態またはショックを潜在的に回避する場合に、突入電流を防ぐために用いることができる。いくつかの実施例において、その入力または出力の少なくとも一方が可変である場合、そのスイッチは、切り換える要求を受取った後に、その入力における電位が、その出力における電位に等しいかまたは近くなるまで待つことができる。他の実施例においては、そのスイッチは、切り換えの前に、その入力における電位が、その出力における電位からしきい値の範囲内になるまで待つことができる。一実施例において、そのしきい値は、ユーザが設定することができ、また、時間とともに変化することもできる。はじめに、そのしきい値は、第１の量に設定することができ、その後、その入力に電位が、その出力における電位からそのしきい値の範囲内にない状態で時間が経つにつれて、そのしきい値を増加させることができる。他の実施例においては、そのしきい値に、ある期間内に達しない場合、（例えば、ヒューズを飛ばすように、等の）警告を発生させることができ、あるいは、待機期間を終了することができ、およびその切り換えを、その電位差に関係なく開始することができる。
【００４８】
一実施例において、そのしきい値は、プログラム可能にすることができ、また、ユーザは、その入力、出力、またはこれら２つの差のうちの少なくとも１つに基づいて、しきい値、あるいは、そのスイッチが切り換える実際の電圧を設定することができる。
【００４９】
他の実施例においては、その入力と出力との間の電位差、または多数の出力間の電位差は、信号種別を判断するために用いることができ、およびより高い優先度（例えば、オーディオ信号等の第１の信号種別に、ＵＳＢデータ等の第２の信号種別に優る優先度を与える）を有する信号に切り換えるために用いることができる。
【００５０】
一実施例において、ミキシング技術は、例えば、異なる電位を有する電源間（例えば、５Ｖ電源と３Ｖ電源の間）での電源投入の安定化のために用いることができる。一実施例において、電源が投入されると、その電源の出力は、定常状態に達するまで、徐々に増加（または、ある場合には、変動）する可能性がある。一実施例において、第１の電源から、より高い出力を有する第２の電源に切り換える場合、その切り換えは、その第２の電源の電位が、第１の電源の電位に等しいかまたは近くなるまで遅らせることができる。対照的に、第１の電源から、より低い電位を有する第２の電源に切り換える場合、その切り換えは、その第１の電源と第２との電源の電位差が最小になるか、または、しきい値に達するまで、遅らせることができる。
【００５１】
一実施例において、（例えば、１つ以上の入力、１つ以上の出力、または１つ以上のチャンネル有する、等の）スイッチは、入力と出力との間の差を利用して、あるいは、入力または出力の少なくとも一方と、所定の電気的状態との間の差または比較を用いて、自己絶縁することができる。いくつかの実施例において、その所定の電気的状態は、電圧または電流のしきい値、位相、スルーレート、または１つ以上の他の電気的状態を含むことができる。その切り換えは、これらの状態のうちの１つ以上が達成されるまで遅らせることができ、あるいは、その状態に達した場合、そのスイッチは、所望の結果により、開閉することができる。いくつかの実施例において、閉じられたスイッチは開くことができ、開かれているスイッチは閉じることができ、または、入力または出力のうちの少なくとも一方が、電圧または電流のしきい値、スルーレート、または１つ以上の他の電気的状態を超えた場合に、異なる入力を選択することができる。
（追加的な注記）
第１の実施例、すなわち実施例１において、装置はスイッチを含む。そのスイッチは、第１の信号を受取るように構成された第１の入力と、第２の信号を受取るように構成された第２の入力と、制御信号を受取るように、およびその制御信号に応答して、その第１または第２の入力信号の一方を出力に結合してそのスイッチの状態を制御するように構成された制御入力と、その第１の信号、第２の信号および制御信号を用いて、出力信号を供給するように構成された出力とを含むことができる。その装置は、その第１の信号、第２の信号、および要求されたスイッチ状態の指示を受取るように、その制御信号をそのスイッチに供給するように、およびその要求されたスイッチ状態の指示が、現在のスイッチ状態と異なるまで、およびその第１の信号を示す情報と、その第２の信号を示す情報との比較がしきい値を満たすまで、スイッチ状態変化を遅らせるように構成された制御回路をさらに含むことができる。
【００５２】
実施例２において、実施例１の制御回路は、要求されたスイッチ状態が、現在のスイッチ状態と異なる場合に、指定された基準電圧より高い指定された電圧範囲内で、その第１の信号のオフセットバージョンを供給するように構成された第１のシフト回路を必要に応じて含み、その場合、その第１の信号を示す情報は、その第１の信号のオフセットバージョンを含む。実施例１の制御回路は、要求されたスイッチ状態が、現在のスイッチ状態と異なる場合に、指定された基準電圧より高い指定された電圧範囲内で、その第２の信号のオフセットバージョンを供給するように構成された第２のシフト回路を必要に応じて含み、およびその第２の信号を示す情報は、その第２の信号のオフセットバージョンを含む。
【００５３】
実施例３において、実施例１、実施例２のいずれか１つ以上の第１および第２のシフト回路は、要求されたスイッチ状態の指示が、現在のスイッチ状態と異なる場合に作動可能にされるように必要に応じて構成されており、また、要求されたスイッチ状態の指示が、現在のスイッチ状態と同じ場合には、電力消費を節約するために作動不能にされるように必要に応じて構成されている。
【００５４】
実施例４において、実施例１〜実施例３のいずれか１つ以上の第１または第２のシフト回路の少なくとも一方は、電流源と、その電流源に結合された抵抗網と、トランジスタとを必要に応じて含む。実施例４のトランジスタは、その電流源と直列にその抵抗網に結合されたソース端子と、アースに結合されたドレイン端子と、信号を受取るように構成されたゲート端子とを必要に応じて含む。実施例４の信号のオフセットバージョンは、その抵抗網と電流源の接合部で、必要に応じて供給される。
【００５５】
実施例５において、実施例１〜実施例４のいずれか１つ以上の制御回路は、その第１の信号のオフセットバージョンと、その第２の信号のオフセットバージョンとを比較するように、および第１の信号のオフセットバージョンと、第２の信号のオフセットバージョンとの差を示す比較器出力を供給するように構成された比較器を、必要に応じて含む。
【００５６】
実施例６において、実施例１〜実施例５のいずれか１つ以上の制御回路は、その第１の信号の大きさを減衰させるように、およびその減衰された第１の信号を、その第１のシフト回路へ供給するように構成された第１の減衰器と、その第２の信号の大きさを減衰させるように、およびその減衰された第１の信号を第１のシフト回路に供給するように構成された第２の減衰器とを必要に応じて含む。
【００５７】
実施例７において、実施例１〜実施例６のいずれか１つ以上のその第１の減衰器および第２の減衰器の各々は、その第１の信号および第２の信号を減衰させるための分圧器を必要に応じて含む。
【００５８】
実施例８において、実施例１〜実施例７のいずれか１つ以上のその第１の減衰器および第２の減衰器の各々は、イネーブル信号を受取るように、そのイネーブル信号が第１の状態にある場合に、受取った信号の減衰されたバージョンを供給するように、およびそのイネーブル信号が第２の状態にある場合に、その減衰器の電力消費を低減するように構成されたイネーブル回路を必要に応じて含む。
【００５９】
実施例９において、実施例１〜実施例８のいずれか１つ以上のその第１の減衰器および第２の減衰器の各々は、その分圧器に結合された各絶縁トランジスタを必要に応じて含み、その絶縁トランジスタは、そのイネーブル信号が第１の状態にある場合に、単一の電圧源を用いて、減衰された信号をアースを中心にして振動させることができるように構成されており、その絶縁トランジスタの基準電圧は、受取った信号の負の振幅に対応している。
【００６０】
実施例１０において、実施例１〜実施例９のいずれか１つ以上のイネーブル回路は、そのイネーブル信号が第２の状態にある場合に、その絶縁ＮＭＯＳトランジスタを作動不能にするように、必要に応じて構成されている。
【００６１】
実施例１１において、実施例１〜実施例１０のいずれか１つ以上のスイッチは、オーディオスイッチを必要に応じて含み、実施例１〜実施例１０のいずれか１つ以上の第１の信号は、第１のオーディオ信号を必要に応じて含み、実施例１〜実施例１０のいずれか１つ以上の第２の信号は、第２のオーディオ信号を必要に応じて含み、および実施例１〜実施例１０のいずれか１つ以上のオーディオスイッチの出力は、スピーカに結合されるように必要に応じて構成されている。
【００６２】
実施例１２において、実施例１〜実施例１１のいずれか１つ以上のスイッチは、ビデオスイッチを必要に応じて含み、実施例１〜実施例１１のいずれか１つ以上の第１の信号は、第１のビデオ信号を必要に応じて含み、実施例１〜実施例１１のいずれか１つ以上の第２の信号は、第２のビデオ信号を必要に応じて含み、および実施例１〜実施例１１のいずれか１つ以上のビデオスイッチの出力は、ディスプレイに結合されるように必要に応じて構成されている。
【００６３】
実施例１３において、一つの方法は、そのスイッチの第１の入力において第１の信号を受取ること、そのスイッチの第２の入力において第２の信号を受取ること、そのスイッチの制御入力において制御信号を受取ること、その制御信号が第１の状態を示す場合に、そのスイッチの出力において第１の信号を供給すること、その第１の信号および第２の信号を用いてスイッチ遷移情報を発生させること、およびその制御信号が第２の状態を示す場合、およびそのスイッチ遷移情報がしきい値を満たす場合に、そのスイッチの出力において、第２の信号を供給することを含む。
【００６４】
実施例１４において、実施例１〜実施例１３のいずれか１つ以上のスイッチ情報を供給することは、その第１の信号のバージョンと、その第２の信号のバージョンを比較することを必要に応じて含む。
【００６５】
実施例１５において、実施例１〜実施例１４のいずれか１つ以上のスイッチ情報を供給することは、その第１の信号をアースより上にシフトして、第１の信号のバージョンを供給すること、その第２の信号をアースより上にシフトして、第２の信号のバージョンを供給することを必要に応じて含む。
【００６６】
実施例１６において、実施例１〜実施例１５のいずれか１つ以上の第１の信号をシフトすることは、その第１の信号のバージョンの範囲を、アース中心から、その単一の供給電圧の電圧値中心に制限するように、その第１の信号を減衰させることを必要に応じて含み、実施例１〜実施例１５のいずれか１つ以上の第２の信号をシフトすることは、その第２の信号のバージョンの範囲を、アース中心から、その単一の供給電圧の電圧値中心に制限するように、その第２の信号を減衰させることを必要に応じて含む。
【００６７】
実施例１７において、実施例１〜実施例１６のいずれか１つ以上の、その第２の状態を有する制御信号を受取ることは、第１および第２のシフト回路を作動可能にして、その第１および第２の信号のシフトされたバージョンを供給することを必要に応じて含み、実施例１〜実施例１６のいずれか１つ以上の、そのスイッチの出力において第２の信号を供給することは、そのスイッチの電力消費を節約するために、その第１および第２のシフト回路を作動不能にすることを必要に応じて含む。
【００６８】
実施例１８において、実施例１〜実施例１７のいずれか１つ以上の第１および第２のシフト回路を作動可能にすることは、第１および第２のシフト回路の電流源を作動可能にすることを必要に応じて含む。
【００６９】
実施例１９において、実施例１〜実施例１８のいずれか１つ以上の、その第２の状態を有する制御信号を受取ることは、第１および第２の減衰器回路を作動可能にして、その第１の信号のバージョンと、その第２の信号のバージョンを供給することを必要に応じて含み、および実施例１〜実施例１８のいずれか１つ以上のそのスイッチの出力において第２の信号を供給することは、そのスイッチの電力消費を節約するために、その第１および第２の減衰器回路を作動不能にすることを必要に応じて含む。
【００７０】
実施例２０において、実施例１〜実施例１９のいずれか１つ以上のスイッチ遷移情報を供給することは、その第１の信号のバージョンと、その第２の信号のバージョンを比較すること、その比較を利用して、その第１の信号および第２の信号の相対振幅情報を供給することを必要に応じて含む。
【００７１】
実施例２１において、実施例１〜実施例２０のいずれか１つ以上のスイッチ遷移情報を供給することは、その第１の信号のバージョンと、第２の信号のバージョンを比較すること、その比較を利用して、その第１の信号および第２の信号の相対位相情報を供給することを必要に応じて含む。
【００７２】
実施例２２において、装置は、単一の電源入力と、ある大きさを有する第１の信号を受取るように構成された第１の入力、ある大きさを有する第２の信号を受取るように構成された第２の入力、制御信号を受取って、そのスイッチの状態を制御するように構成された制御入力、およびその第１の信号、第２の信号およびその制御信号を用いて、出力を供給するように構成された出力を含むスイッチとを含む。また、実施例２２のその装置は、その第１の信号、第２の信号、および要求されたスイッチ状態の指示を受取るように、その制御信号をそのスイッチに供給するように、およびその要求されたスイッチ状態の指示が、現在のスイッチ状態と異なるまで、かつその第１の信号および第２の信号を用いた比較が、しきい値を満たすまで、スイッチ状態変化を遅らせるように構成された制御回路も含み、その制御回路は、その第１の信号を受取るように、およびその第１の信号の減衰されたバージョンを供給するように構成された第１の減衰器と、その第１の信号の減衰されたバージョンを受取り、およびその第１の信号の、減衰され、かつシフトされたバージョンを供給するための第１のシフト回路と、その第２の信号を受取り、およびその第２の信号の、減衰されたバージョンを供給するための第２の減衰器と、その第２の信号の減衰されたバージョンを受取り、およびその第２の信号の、減衰され、かつシフトされたバージョンを供給するための第２のシフト回路と、その第１の信号の、減衰され、かつシフトされたバージョンと、その第２の信号の、減衰され、かつシフトされたバージョンとの比較を用いて、スイッチ遷移情報を供給するように、およびそのスイッチ遷移情報をそのしきい値と比較するように構成された比較器とを含む。
【００７３】
実施例２３は、実施例１〜実施例２２の機能のいずれか１つ以上を実行するための手段、または、マシンによって実行される場合に、そのマシンに実施例１〜実施例２２の機能のいずれか１つ以上を実行させる命令を含むマシン可読媒体を含むことのできる対象物を含むように、実施例１〜実施例２２のいずれか１つ以上のいずれかの部分またはいずれかの部分の組合せを含むかまたは必要に応じて組み合わせることができる。
【００７４】
上記の詳細な説明は、その詳細な説明の一部を構成する添付図面の参照を含む。それらの図面は、本発明を実施することのできる具体的な実施形態を例証として示す。それらの実施形態は、本願明細書において、「実施例」とも呼ばれている。そのような実施例は、図示または記載されているものに加えて複数の構成要素を含むことができる。しかし、本発明者らは、図示または記載されている構成要素のみが設けられている実施例も意図している。また、本発明者らは、特定の実施例（または、本発明の１つ以上の態様）に対して、または、本願明細書に示され、または記載されている他の実施例（または、本発明の１つ以上の態様）に対して、示し、かつ記載されている複数の構成要素（または、本発明の１つ以上の態様）のいずれかの組合せまたは置換えを利用した実施例も意図している。
【００７５】
本願明細書で言及されている全ての出版物、特許および特許文書は、個別に参照によって組み入れられているかのように、それらの全体を本願明細書に参照によって組み入れられる。本願明細書と、そのように参照によって組み入れられたそれらの文書との間に矛盾した用法がある場合は、組み入れられた参考文献での用法は、本願明細書の用法に対して補足的であると考えるべきであり、すなわち、相容れない矛盾に対しては、本願明細書における用法が支配する。
【００７６】
この文書において、「１つの」という用語は、特許文献で一般的であるように、「少なくとも１つの」または「１つ以上の」という例または用法とは無関係に、１つ以上を含むように用いられている。この文書において、「または」という用語は、非排他的に、または他に指定のない限り、「ＡまたはＢ」が「ＡであるがＢではない」、「ＢではあるがＡではない」および「ＡおよびＢ」を含むように言及するように用いられている。この文書において、「含む」という用語は、「具備する」という用語の平易な英語の同義語として用いられている。また、以下のクレームにおいて、「含む」および「具備する」という用語は、非制限的であり、すなわち、クレームにおいてこのような用語の後に挙げられているものに加えて、複数の構成要素を含むシステム、デバイス、物品またはプロセスは、それでも当該クレームの範囲内にあると見なされる。また、以下のクレームにおいて、「第１の」、「第２の」および「第３の」等の用語は、単に標識として用いられており、それらのものに数的な要件を課すことは意図されていない。
【００７７】
本願明細書に記載されている方法実施例は、少なくとも部分的にマシンまたはコンピュータが実装できるものとすることが可能である。いくつかの実施例は、電子デバイスを構成して、上記の実施例において説明したような方法を実行するように機能することができる命令で符号化されたコンピュータ可読媒体またはマシン可読媒体を含むことができる。このような方法の実施は、マイクロコード、アセンブリ言語コード、高級言語コード等のコードを含むことができる。そのようなコードは、様々な方法を実行するためのコンピュータ可読命令を含むことができる。そのコードは、コンピュータプログラムプロダクトの一部を構成することができる。さらに、一実施例においては、そのコードは、例えば、実行中に、あるいはある時に、１つ以上の揮発性、非一時的な、または非揮発性の有形のコンピュータ可読媒体に明確に格納することができる。それらの有形のコンピュータ可読媒体の例は、限定するものではないが、ハードディスク、リムーバブル磁気ディスク、リムーバブル光ディスク（例えば、コンパクトディスクおよびディジタルビデオディスク）、磁気カセット、メモリカードまたはメモリスティック、ランダムアクセスメモリ（ＲＡＭ）、読出し専用メモリ（ＲＯＭ）等を含むことができる。
【００７８】
上記の説明は、例示的であるように、かつ非限定的であるように意図されている。例えば、上述の実施例（または、本発明の１つ以上の態様）は、互いに組み合わせて用いることができる。他の実施形態は、例えば、当業者が上記説明を閲覧する際に利用することができる。要約書は、読者が技術的開示の本質を直ちに確認できるように記載されている。その要約書は、クレームの範囲または意図を解釈または限定するために用いられることはないという合意を伴って提出されている。また、上記の詳細な説明においては、本開示を整理するために、様々な特徴をまとめて分類してもよい。このことは、クレームされていない開示された特徴が、どのクレームに対しても本質的であることを意図しているように解釈すべきではない。むしろ、発明の主題は、開示されている特定の実施形態の全ての特徴にあるわけではない可能性がある。従って、以下のクレームは、本願明細書において、その詳細な説明に組込まれ、各クレームは、別々の実施形態として自立しており、また、そのような実施形態は、様々な組合せまたは置換えで、互いに組み合わせることができると考えられる。本発明の範囲は、そのようなクレームが権利を与えられる均等物の全範囲と共に、添付クレームを参照して判断すべきである。
【図１】
0005859254.tif 000002
【図２】
0005859254.tif 000003
【図３】
0005859254.tif 000004
【図４】
0005859254.tif 000005
【図５】
0005859254.tif 000006
【図６】
0005859254.tif 000007
【図７】
0005859254.tif 000008
【図８】
0005859254.tif 000009
【図９】
0005859254.tif 000010
【図１０】
0005859254.tif 000011
【図１１】
0005859254.tif 000012
【図１２Ａ】
0005859254.tif 000013
【図１２Ｂ】
0005859254.tif 000014